(57)【要約】【課題】変倍比の確保と、望遠端での全長の短縮に有利であり、光学性能の確保にも配慮したズームレンズ等を提供すること。【解決手段】物体側から順に、正第１レンズ群Ｇ１と、負第２レンズ群Ｇ２と、正第３レンズ群Ｇ３を含む正屈折の後群、とからなり、第２レンズ群Ｇ２と第３レンズ群Ｇ３との間に配置された明るさ絞りＳを有し、最も遠距離の被写体に合焦した状態における広角端から望遠端への変倍時に第１レンズ群Ｇ１と第２レンズ群Ｇ２との間隔を広げ、第２レンズ群Ｇ２と第３レンズ群Ｇ３との間隔を狭めるように、第１レンズ群Ｇ１、第２レンズ群Ｇ２、第３レンズ群Ｇ３はそれぞれ移動し、明るさ絞りＳは第２レンズ群Ｇ２との距離が小さくなるように移動し、第２レンズ群Ｇ２は、物体側から順に、第１負レンズＬ2n1、正レンズＬ2p、第２負レンズＬ2n2の３枚のレンズからなり、所定の条件式を満足する。【選択図】図１
2008225328.tif 000002
【特許請求の範囲】
【請求項１】
物体側から順に、
正屈折力を有する第１レンズ群と、
負屈折力を有する第２レンズ群と、
正屈折力を有する第３レンズ群を含む正屈折の後群、とからなり、
前記第２レンズ群と前記第３レンズ群との間に配置された明るさ絞りを有し、
最も遠距離の被写体に合焦した状態における広角端から望遠端への変倍時に
前記第１レンズ群と前記第２レンズ群との間隔を広げ、
前記第２レンズ群と前記第３レンズ群との間隔を狭めるように、
前記第１レンズ群、前記第２レンズ群、前記第３レンズ群はそれぞれ移動し、
前記明るさ絞りは前記第２レンズ群との距離が小さくなるように移動し、
前記第２レンズ群は、物体側から順に、第１負レンズＬ2n1、正レンズＬ2p、第２負レンズＬ2n2の３枚のレンズからなり、
以下の条件式を満足することを特徴とするズームレンズ。
−０．２８＜ｆ2／ｆt＜−０．０７    ・・・（１）
−０．３８＜ｆ2n2／ｆt＜−０．１４    ・・・（２）
ただし、
ｆ2は前記第２レンズ群の焦点距離、
ｆ2n2は前記第２レンズ群中の前記第２負レンズＬ2n2の焦点距離、
ｆtは望遠端での前記ズームレンズ全系の焦点距離、
である。
【請求項２】
前記第２レンズ群の前記第２負レンズＬ2n2が以下の条件式を満足する両凹レンズであることを特徴とする請求項１に記載のズームレンズ。
−０．８０＜ＳＦ2n2＜０．５０    ・・・（３）
ただし、ＳＦ2n2は、
ＳＦ2n2＝（Ｒ2n2f＋Ｒ2n2r）／（Ｒ2n2f−Ｒ2n2r）で定義され、
Ｒ2n2fは前記第２レンズ群中の前記第２負レンズＬ2n2の物体側面の近軸曲率半径、
Ｒ2n2rは前記第２レンズ群中の前記第２負レンズＬ2n2の像側面の近軸曲率半径、
である。
【請求項３】
前記第２レンズ群の光軸上での厚みが以下の条件式（Ａ）を満足するとともに、
前記第２レンズ群の前記第１負レンズＬ2n1の形状が以下の条件式（Ｂ）を満足し、
前記第２レンズ群の前記正レンズＬ2pの形状が以下の条件式（Ｃ）を満足することを特徴とする請求項１または２に記載のズームレンズ。
０．０６＜Σｄ2G／ｆt＜０．２３    （Ａ）
−０．９＜ＳＦ2n1＜１．１              （Ｂ）
−３．０＜ＳＦ2p＜０．２              （Ｃ）
ただし、
Σｄ2Gは、光軸上における前記第２レンズ群の入射面から射出面までの距離、
ＳＦ2n1は、
ＳＦ2n1＝ （Ｒ2n1f＋Ｒ2n1r）／（Ｒ2n1f−Ｒ2n2r）で定義され、
Ｒ2n1fは前記第２レンズ群中の前記第１負レンズＬ2n1の物体側面の近軸曲率半径、
Ｒ2n1rは前記第２レンズ群中の前記第１負レンズＬ2n1の像側面の近軸曲率半径、
ＳＦ2pは、
ＳＦ2p＝（Ｒ2ｐ1f＋Ｒ2ｐr）／（Ｒ2ｐf−Ｒ2ｐr）で定義され、
Ｒ2ｐfは前記第２レンズ群中の前記正レンズＬ2pの物体側面の近軸曲率半径、
Ｒ2ｐrは前記第２レンズ群中の前記正レンズＬ2pの像側面の近軸曲率半径、
である。
【請求項４】
最も遠距離の被写体に合焦した状態にて、以下の条件式を満足することを特徴とする請求項１〜３のいずれか一項に記載のズームレンズ。
１．１＜（β2T×βRW）／（β2W×βRT）＜３．６    ・・・（４）
ただし、
β2W、β2Tはそれぞれ前記第２レンズ群の広角端、望遠端での近軸横倍率、
βRW、βRTはそれぞれ前記後群の広角端、望遠端での近軸横倍率、
である。
【請求項５】
前記第２レンズ群の前記第１負レンズＬ2n1の材料が以下の条件式を満足することを特徴とする請求項１〜４のいずれか一項に記載のズームレンズ。
１．７８＜ｎd2n1＜２．２０    ・・・（５）
３５＜νd2n1＜５０    ・・・（６）
ただし、
ｎd2n1は前記第２レンズ群中の前記第１負レンズＬ2n1のｄ線に対する屈折率、
νd2n1は前記第２レンズ群中の前記第１負レンズＬ2n1のアッベ数、
である。
【請求項６】
前記第２レンズ群中の前記第２負レンズＬ2n2の材料が以下の条件式を満足することを特徴とする請求項１〜５のいずれか一項に記載のズームレンズ。
１．７８＜ｎd2n2＜２．００    ・・・（７）
３５＜νd2n2＜５０    ・・・（８）
ただし、
ｎd2n2は前記第２レンズ群中の前記第２負レンズＬ2n2のｄ線に対する屈折率、
νd2n2は前記第２レンズ群中の前記第２負レンズＬ2n2のアッベ数、
である。
【請求項７】
前記第２レンズ群中の前記正レンズの材料が以下の条件式を満足することを特徴とする請求項１〜６のいずれか一項に記載のズームレンズ。
１．８４＜ｎd2p＜２．２０    ・・・（９）
１３＜νd2p＜３０        ・・・（１０）
ただし、
ｎd2pは前記第２レンズ群中の前記正レンズＬ2pのｄ線に対する屈折率、
νd2pは前記第２レンズ群中の前記正レンズＬ2pのアッベ数、
である。
【請求項８】
前記第２レンズ群中の前記第１負レンズＬ2n1は少なくとも物体側の面が非球面であり、
以下の条件式を満足することを特徴とする請求項１〜７のいずれか一項に記載のズームレンズ。
０．００３＜ａｓｐ2n1f／ｆw＜０．０７    ・・・（１１）
０．００５＜（ａｓｐ2n1f ＋｜ａｓｐ2n1r|）／ｆw＜０．１５    ・・・（１２）
ただし、
ａｓｐ2n1fは前記第２レンズ群中の前記第１負レンズＬ2n1の物体側のレンズ面における非球面偏倚量、
ａｓｐ2n1rは前記第２レンズ群中の前記第１負レンズＬ2n1の像側のレンズ面における非球面偏倚量、
ｆwは広角端での前記ズームレンズ全系焦点距離であり、非球面偏倚量とは、前記レンズ面の面頂と同じ面頂を持ち該レンズ面の近軸曲率半径を曲率半径とする球面を基準球面としたとき、該レンズ面における広角端での最大光線入射高の位置にて、光軸に平行な方向に測ったときの該基準面から該レンズ面までの距離であり、像側方向を正符号とする。
【請求項９】
前記第１レンズ群は正レンズＬ1p、負レンズＬ1nの合わせて２枚のレンズからなることを特徴とする請求項１〜８のいずれか一項に記載のズームレンズ。
【請求項１０】
前記第１レンズ群の前記負レンズＬ1nと前記正レンズＬ1pはそれぞれ単レンズからなることを特徴とする請求項９に記載のズームレンズ。
【請求項１１】
前記第１レンズ群の前記負レンズＬ1nと前記正レンズＬ1pの間隔が、以下の条件式を満足することを特徴とする請求項１０に記載のズームレンズ。
０.０≦ｄ1np／ｄ1＜０．２    ・・・（１３）
ただし、
ｄ1npは前記第１レンズ群の負レンズと正レンズの光軸上での間隔、
ｄ1は前記第１レンズ群の入射面から射出面までの光軸上での距離、
である。
【請求項１２】
前記第１レンズ群の前記負レンズＬ1nと前記正レンズＬ1pは互いに接合されていることを特徴とする請求項９に記載のズームレンズ。
【請求項１３】
前記第１レンズ群の前記負レンズＬ1nと前記正レンズＬ1pの材料が以下の条件式を満足することを特徴とする請求項９〜１２のいずれか一項に記載のズームレンズ。
１．４７＜ｎd1p＜１．９０    ・・・（１４）
４０＜νd1p＜８５            ・・・（１５）
１．７５＜ｎd1n＜２．０６    ・・・（１６）
１２＜νd1n＜３１            ・・・（１７）
ただし、
ｎd1pは前記正レンズＬ1pのｄ線に対する屈折率、
νd1pは前記正レンズＬ1pのアッベ数、
ｎd1nは前記負レンズＬ1nのｄ線に対する屈折率、
νd1nは前記負レンズＬ1nのアッベ数、
である。
【請求項１４】
前記第１レンズ群は物体側から前記負レンズＬ1n、前記正レンズＬ1pからなることを特徴とする請求項９〜１３のいずれか一項に記載のズームレンズ。
【請求項１５】
前記第３レンズ群が３枚以下のレンズからなることを特徴とする請求項１〜１４のいずれか一項に記載のズームレンズ。
【請求項１６】
前記第３レンズ群は物体側から順に、正レンズ、正レンズ、負レンズの３枚のレンズからなることを特徴とする請求項１５に記載のズームレンズ。
【請求項１７】
以下の条件式を満足することを特徴とする請求項１〜１６のいずれか一項に記載のズームレンズ。
０．３＜ｆ1／ｆt＜１．５    ・・・（１８）
ただし、ｆ1は前記第１レンズ群の焦点距離である。
【請求項１８】
以下の条件式を満足することを特徴とする請求項１〜１７のいずれか一項に記載のズームレンズ。
０．０７＜ｆ3／ｆt＜０．５３    ・・・（１９）
ただし、ｆ3は前記第３レンズ群の焦点距離である。
【請求項１９】
前記ズームレンズが、物体側から順に、前記第１レンズ群、前記第２レンズ群、前記第３レンズ群、正屈折力を有する第４レンズ群からなる４群ズームレンズであることを特徴とする請求項１〜１８のいずれか一項に記載のズームレンズ。
【請求項２０】
前記ズームレンズが、物体側から順に、前記第１レンズ群、前記第２レンズ群、前記第３レンズ群、負屈折力を有する第４レンズ群、正屈折力を有する第５レンズ群からなる５群ズームレンズであることを特徴とする請求項１〜１８のいずれか一項に記載のズームレンズ。
【請求項２１】
以下の条件式を満足することを特徴とする、請求項１９または２０に記載のズームレンズ。
０．２＜ｆRG／ｆt＜０．９    ・・・（２０）
ただし、ｆRGは前記ズームレンズ中最も像側に位置するレンズ群の焦点距離である。
【請求項２２】
以下の条件式を満足することを特徴とする請求項１〜２１のいずれか一項に記載のズームレンズ。
４．８＜ｆt／ｆw＜１５．０    ・・・（２１）
ただし、ｆwは広角端での前記ズームレンズ全系の焦点距離ある。
【請求項２３】
請求項１〜２２のいずれか一項記載のズームレンズと、
前記ズームレンズの像側に配置され、前記ズームレンズにより形成される光学像を電気信号に変換する撮像素子を有することを特徴とする電子撮像装置。
【請求項２４】
以下の条件式を満足することを特徴とする請求項２３に記載の電子撮像装置。
０．４８＜Ｉm／ｆw＜０．８５    ・・・（２２）
ただし、
Ｉmは有効撮像領域における最大像高、
ｆwは広角端の前記ズームレンズの焦点距離である。
【発明の詳細な説明】
【技術分野】
【０００１】
本発明は、ズームレンズに関するものである。また、それを用いた電子撮像装置に関するものである。
【背景技術】
【０００２】
近年では、銀塩フィルムカメラに代わり、ＣＣＤやＣＭＯＳのような電子撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。
【０００３】
普及タイプのデジタルカメラのユーザーは、いつでもどこでも手軽に幅広いシーンで撮影を楽しみたいという要望をもっている。そのため、小型の商品、特に服やカバンのポケット等への収納性がよく、持ち運びが便利な、厚み方向のサイズが薄型であるタイプのデジタルカメラが好まれるようになっている。
【０００４】
一方、コンパクトタイプのデジタルカメラの変倍比は３倍程度が一般的であったが、更に従来よりも高変倍比のカメラが求められている。比較的高変倍比を維持しやすいズームレンズとして、物体側より正屈折力の第１レンズ群、負屈折力の第２レンズ群、正屈折力の第３レンズ群を有するタイプのズームレンズが知られている。
【０００５】
一方、カメラの大きさの中、厚さ方向のサイズは主にレンズ鏡筒のサイズで決まってしまう。このため、カメラの薄型化達成のためにはレンズ鏡筒を薄型化することが効果的である。
【０００６】
最近では、カメラ使用状態ではレンズ鏡筒をカメラボディ内からせり出し携帯時にはカメラボディ内に収納するいわゆる沈胴式鏡筒が一般的になっている。そのため、沈胴時のレンズ鏡筒の薄型化を考慮したズームレンズが求められる。
【０００７】
以下の特許文献１、２、３の従来技術では、第１レンズ群を２枚または３枚のレンズで構成し、第２レンズ群を、物体側から順に、負レンズ、正レンズ、負レンズの対照的なパワー配置にすることにより、第２レンズ群の収差補正と小型化とを行ったズームレンズが開示されている。
【特許文献１】特開２００５−２４２１１６号公報
【特許文献２】特開２００５−３２６７４３号公報
【特許文献３】特開２００６−７８９７９号公報
【発明の開示】
【発明が解決しようとする課題】
【０００８】
しかしながら、開示されている先行技術では、変倍比に比較して、望遠端でのズームレンズの全長が長くなっている。
【０００９】
本発明はこのような問題点に鑑みてなされたものであり、その目的は、変倍比の確保と、望遠端での全長の短縮に有利であり、光学性能の確保にも配慮したズームレンズを提供することである。さらに別の目的は、そのようなズームレンズを備えた小型の電子撮像装置を提供することである。
【課題を解決するための手段】
【００１０】
上記課題を解決するために、第１のズームレンズは、物体側から順に、正屈折力を有する第１レンズ群と、負屈折力を有する第２レンズ群と、正屈折力を有する第３レンズ群を含む正屈折の後群、とからなり、第２レンズ群と第３レンズ群との間に配置された明るさ絞りを有し、最も遠距離の被写体に合焦した状態における広角端から望遠端への変倍時に第１レンズ群と第２レンズ群との間隔を広げ、第２レンズ群と第３レンズ群との間隔を狭めるように、第１レンズ群、第２レンズ群、第３レンズ群はそれぞれ移動し、明るさ絞りは第２レンズ群との距離が小さくなるように移動し、第２レンズ群は、物体側から順に、第１負レンズＬ2n1、正レンズＬ2p、第２負レンズＬ2n2の３枚のレンズからなり、以下の条件式を満足するように構成するものである。
【００１１】
−０．２８＜ｆ2／ｆt＜−０．０７    ・・・（１）
−０．３８＜ｆ2n2／ｆt＜−０．１４    ・・・（２）
ただし、
ｆ2は第２レンズ群の焦点距離、
ｆ2n2は第２レンズ群中の第２負レンズＬ2n2の焦点距離、
ｆtは望遠端でのズームレンズ全系の焦点距離、
である。
【００１２】
第１のズームレンズにおいて上記構成をとった理由と作用を説明する。本発明では変倍比の確保に有利とするために、物体側から順に、正屈折力の第１レンズ群、負屈折力の第２レンズ群、正屈折力の第３レンズ群を含む正屈折力の後群からなり、各レンズ群に挟まれる間隔を上述のように変化させることで変倍を行う構成としている。
【００１３】
このような構成をとることにより、第２レンズ群、第３レンズ群に変倍の負担を効率的に分担させやすくなる。それにより、変倍時の収差変動を小さく抑えつつ、また各レンズ群の移動量が大きくなることを防ぎ、ズームレンズのコンパクト化につながる。
【００１４】
このように第１、第２、第３レンズ群のそれぞれを移動させることにより、高変倍化しても光学性能の維持に有利となる。
【００１５】
また、明るさ絞りを上述のように配置、変倍時の移動をさせている。それにより、広角端における軸外光束の光線高と望遠端の軸外光束の光線高のバランスがとれるようになる。また、入射瞳位置、射出瞳位置を適切にコントロールすることが可能となる。
【００１６】
これにより、第１レンズ群の外径と最も像側に位置するレンズ群の外径をバランスよくコンパクトに構成しながらも、倍率色収差や歪曲収差の補正が可能となる。
【００１７】
広角端での第１レンズ群の外径を小さくすることは第１レンズ群の厚み方向の大きさのコンパクト化につながる。また変倍の際の射出瞳位置の変動を小さくするようにコントロールすることもできるようになる。このため、ＣＣＤやＣＭＯＳ等に入射する光線角度を適当な範囲に保ち画面の隅での明るさのかげり（シェーディング）の発生を防ぐことができ、電子撮像素子を用いる場合に好ましい。
【００１８】
そして、第２レンズ群を３枚という少ないレンズ枚数にて構成することで、ズームレンズの沈胴時の厚みを抑えやすくなる。また、広角端で第１レンズ群最物体側面から入射瞳までの距離も小さくしやすくなり、ズームレンズの径方向のサイズの小型化も行いやすくなる。
【００１９】
そして、本発明では第２レンズ群中に２枚の負レンズを配置して第２レンズ群の負パワーを分担させ収差を抑えやすくしている。そして、物体側から順に負レンズ、正レンズ、負レンズの並びとすることでレンズ構成の対称性を良くし第２レンズ群内で収差補正を良好にし得る構成としている。
【００２０】
さらに、変倍比を確保しつつ望遠端での全長を短くし易くするために、第２レンズ群のパワーが上述の条件式（１）を満たすようにすることが好ましい。
【００２１】
条件式（１）の下限を下回らないようにして第２レンズ群の負パワーを適度に確保することで、第１レンズ群と第２レンズ群の合成系の作る像点位置、すなわち後群に対する物点位置を後群に近づけやすくなる。それにより、後群内のレンズ群の移動量を抑えながらも変倍比の確保が容易となり、望遠端でのズームレンズ全長の短縮化に有利となる。
【００２２】
条件式（１）の上限を上回らないようにして第２レンズ群の負パワーを適度に抑えることで、第２レンズ群の縦倍率を確保しやすくなる。それにより、第２レンズ群の変倍負担を確保しやすくなり、望遠端での全長の短縮や明るさの確保に有利となる。また変倍時の収差変動を抑えやすくなり、全変倍域での光学性能の確保に有利となる。
【００２３】
第２レンズ群より後の後群の倍率を適度に確保するためには、第２レンズ群の像側主点の位置をなるべく像側に位置させて、第１レンズ群と第２レンズ群の合成系の作る像点位置をなるべく像側に位置させるのが良い。そのために、第２レンズ群の最も物体側の第２負レンズＬ2n2のパワーを可能な範囲で大きくしておくのが良い。具体的には上述の条件式（２）を満たすようにすることが好ましい。
【００２４】
条件式（２）の下限を下回らないようにして第２負レンズの負パワーを確保することで、第２レンズ群の像側主点をより像側に位置させることができ、後群の倍率の確保に有利となる。また、第２レンズ群の負パワーを第２負レンズにも担わせることで、第１負レンズの屈折力を抑えやすくなり、球面収差等の発生を抑えやすくなる。条件式（２）の上限を上回らないようにすることで、特に望遠端にてこの第２負レンズによる球面収差やコマ収差の過剰な発生を抑えやすくなる。
【００２５】
条件式（１）について以下のようにするとなお良い。
−０．２３＜ｆ2／ｆt＜−０．１１    ・・・（１’）
以下のようにすると更に良い。
−０．１８＜ｆ2／ｆt＜−０．１５    ・・・（１”）
【００２６】
条件式（２）について以下のようにするとなお良い。
−０．３７＜ｆ2n2／ｆt＜−０．２１    ・・・（２’）
以下のようにすると更に良い。
−０．３６＜ｆ2n2／ｆt＜−０．２８    ・・・（２”）
これらにより、さらに上述の効果を奏することができる。
【００２７】
各条件式の上限値、もしくは下限値をより限定した対応する条件式の上限値、下限値としてもよい。以降の条件式も同様である。
【００２８】
また、コンパクト化を実現しながら、効率よく良好な光学性能を得られるように、本発明では上述の他にも様々な工夫を加えている。以下に詳細に説明を述べる。
【００２９】
また、第２のズームレンズは、第１のズームレンズにおいて、第２レンズ群の第２負レンズＬ2n2を以下の条件式を満足する両凹レンズとすることが好ましい。
−０．８０＜ＳＦ2n2＜０．５０    ・・・（３）
ただし、ＳＦ2n2は、
ＳＦ2n2＝（Ｒ2n2f＋Ｒ2n2r）／（Ｒ2n2f−Ｒ2n2r）で定義され、
Ｒ2n2fは第２レンズ群中の第２負レンズＬ2n2の物体側面の近軸曲率半径、
Ｒ2n2rは第２レンズ群中の第２負レンズＬ2n2の像側面の近軸曲率半径、
である。
【００３０】
第２のズームレンズにおいて上記構成をとった理由と作用を説明する。条件式（３）の下限を下回らないようにすることで、広角端での非点収差の発生を抑えやすくなる。条件式（３）の上限を上回らないようにすることで、望遠端でのコマ収差の発生を抑えやすくなる。
【００３１】
以下のようにするとなお良い。
−０．５５＜ＳＦ2n2＜０．３５    ・・・（３’）
以下のようにすると更に良い。
−０．３６＜ＳＦ2n2＜０．１６    ・・・（３”）
これらにより、さらに上述の効果を奏することができる。
【００３２】
また、第３のズームレンズは、第１〜第２のズームレンズにおいて、第２レンズ群の光軸上での厚みが以下の条件式（Ａ）を満足するとともに、
第２レンズ群の第１負レンズＬ2n1の形状が以下の条件式（Ｂ）を満足し、
第２レンズ群の正レンズＬ2pの形状が以下の条件式（Ｃ）を満足することが好ましい。
０．０６＜Σd2G／ｆt＜０．２３    （Ａ）
−０．９＜ＳＦ2n1＜１．１        （Ｂ）
−３．０＜ＳＦ2p＜０．２        （Ｃ）
ただし、
Σｄ2Gは、光軸上における第２レンズ群の入射面から射出面までの距離、
ＳＦ2n1は、
ＳＦ2n1＝（Ｒ2n1f＋Ｒ2n1r）／（Ｒ2n1f−Ｒ2n2r）で定義され、
Ｒ2n1fは第２レンズ群中の第１負レンズＬ2n1の物体側面の近軸曲率半径、
Ｒ2n1rは第２レンズ群中の第１負レンズＬ2n1の像側面の近軸曲率半径、
ＳＦ2pは、
ＳＦ2p＝（Ｒ2ｐ1f＋Ｒ2ｐr）／（Ｒ2ｐf−Ｒ2ｐr）で定義され、
Ｒ2ｐfは第２レンズ群中の正レンズＬ2ｐの物体側面の近軸曲率半径、
Ｒ2ｐrは第２レンズ群中の正レンズＬ2ｐの像側面の近軸曲率半径、
である。
【００３３】
第３のズームレンズにおいて上記構成をとった理由と作用を説明する。条件式（Ａ)、（Ｂ）、（Ｃ）は、第２レンズ群の小型化とその上での収差補正をしやすくするための条件である。条件式（Ａ）は、好ましい第２レンズ群の光軸上での厚さを特定するものである。条件式（Ａ）の下限を下回らないようにして第２レンズ群の光軸上での厚さを確保することで、第２レンズ群中の正レンズＬ2ｐの屈折力を確保しやすくなり、第２レンズ群で発生しやすい諸収差の補正に有利となる。一方、条件式（Ａ）の上限を上回らないようにして第２レンズ群の光軸上での厚さを小さくすることで、ズームレンズを沈胴した際の薄型化に有利となる。
【００３４】
条件式（Ｂ）は、第２レンズ群中の第１負レンズＬ2n1の形状を特定するものである。条件式（Ｂ）の下限を下回らないようにして第１負レンズＬ2n1の像側面の負屈折力を確保し、物体側側面が強い負パワーの面とならないようにして収差の発生を抑えることが好ましい。条件式（Ｂ）の上限を上回らないようにして第１負レンズＬ2n1の主点が像よりにならないようにすることで、第２レンズ群の小型化に有利となる。
【００３５】
条件式（Ｃ）は、第２レンズ群中の正レンズＬ2ｐの形状を特定するものである。条件式（Ｃ）の下限を下回らないようにして、正レンズＬ2ｐの像側が強い負パワーの面とならないようにすることで、像面湾曲の補正過剰を抑えやすくなる。条件式（Ｃ）の上限を上回らないようにして、正レンズＬ2ｐの物体側の凸面のパワーを確保することで、第１負レンズＬ2n1で発生しやすい軸外コマ収差を補正しやすくなる。
【００３６】
条件式（Ａ）の下限値を０．０８さらには０．１とするとより好ましい。条件式（Ａ）の上限値を０．１９さらには０．１５とするとより好ましい。条件式（Ｂ）の下限値を０．０さらには０．１とするとより好ましい。条件式（Ｂ）の上限値を０．９さらには０．６とするとより好ましい。条件式（Ｃ）の下限値を−２．０さらには−１．５とするとより好ましい。条件式（Ｃ）の上限値を０．０さらには−０．３とするとより好ましい。
【００３７】
また、第４のズームレンズは、第１〜第３のズームレンズにおいて、第２レンズ群および後群の変倍負担について、最も遠距離の被写体に合焦した状態にて、以下の条件式を満足することが好ましい。
１．１＜（β2T×βRW）／（β2W×βRT）＜３．６    ・・・（４）
ただし、
β2W、β2Tはそれぞれ第２レンズ群の広角端、望遠端での近軸横倍率、
βRW、βRTはそれぞれ後群の広角端、望遠端での近軸横倍率、
である。
【００３８】
第４のズームレンズにおいて上記構成をとった理由と作用を説明する。条件式（４）の下限を下回らないようにして、後群の変倍負担を抑えることで、変倍による射出瞳位置の変動を抑え、望遠端でのＦNOを明るくしやすくなる。条件式（４）の上限を上回らないようにして、第２レンズ群の変倍負担が大きくなりすぎないようにすることで、入射瞳位置の変動を抑え、広角端での入射瞳位置を第１レンズ群の入射面に近づけやすくなり、最も物体側のレンズの外径を小型化しやすくなる。
【００３９】
以下のようにするとなお良い。
１．３＜（β2T×βRW）／（β2W×βRT）＜２．９    ・・・（４’）
以下のようにすると更に良い。
１．５＜（β2T×βRW）／（β2W×βRT）＜２．２    ・・・（４”）
これらにより、さらに上述の効果を奏することができる。
【００４０】
また、第５のズームレンズは、第１〜第４のズームレンズにおいて、第２レンズ群の最も物体側の第１負レンズＬ2n1の材料は、以下の条件を満足することが好ましい。具体的には、以下の条件式を満足するようにすると良い。
１．７８＜ｎd2n1＜２．２０    ・・・（５）
３５＜νd2n1＜５０    ・・・（６）
ただし、
ｎd2n1は第２レンズ群中の第１負レンズＬ2n1のｄ線に対する屈折率、
νd2n1は第２レンズ群中の第１負レンズＬ2n1のアッベ数、
である。
【００４１】
第５のズームレンズにおいて上記構成をとった理由と作用を説明する。条件式（５）の上限を上回らないようにして、材料の量産性や入手性を良くし、コスト低減を行うことが好ましい。条件式（５）の下限を下回らないようにして、屈折力を確保しつつレンズ面の曲率絶対値を小さくして、広角端でのコマ収差や像面湾曲を抑えやすくすることが好ましい。
【００４２】
条件式（６）の上限を上回らないようにして、屈折率の高い材料の入手性を確保することが好ましい。条件式（６）の下限を下回らないようにして、色分散を適度に抑え、色収差を抑えやすくすることが好ましい。
【００４３】
以下のようにするとなお良い。
１．７９＜ｎd2n1＜１．９５    ・・・（５’）
３７＜νd2n1＜４７            ・・・（６’）
以下のようにすると更に良い。
１．８０＜ｎd2n1＜１．９０    ・・・（５”）
４０＜νd2n1＜４３            ・・・（６”）
これらにより、さらに上述の効果を奏することができる。
【００４４】
また、第６のズームレンズは、第１〜第５のズームレンズにおいて、第２レンズ群の負レンズＬ2n2について最適な材料を設定しておくのが良い。具体的には、以下の条件式を満足するようにすると良い。
１．７８＜ｎd2n2＜２．００    ・・・（７）
３５＜νd2n2＜５０    ・・・（８）
ただし、
ｎd2n2は第２レンズ群中の第２負レンズＬ2n2のｄ線に対する屈折率、
νd2n2は第２レンズ群中の第２負レンズＬ2n2のアッベ数、
である。
【００４５】
第６のズームレンズにおいて上記構成をとった理由と作用を説明する。条件式（７）の上限を上回らないようにして、材料の量産性や入手性を良くし、コスト低減を行うことが好ましい。条件式（７）の下限を下回らないようにすることで、屈折力を確保してもレンズ面の曲率絶対値を小さくでき、球面収差やコマ収差の発生を抑えやすくなる。
【００４６】
条件式（８）の上限を上回らないようにして、屈折率の高い材料の入手性を高くすることが好ましい。条件式（８）の下限を下回らないようにすることで、色分散を抑え、色収差の補正に有利となる。
【００４７】
以下のようにするとなお良い。
１．８０＜ｎd2n2＜１．９５  ・・・（７’）
３８＜νd2n2＜４６          ・・・（８’）
以下のようにすると更に良い。
１．８６＜ｎd2n2＜１．９０  ・・・（７”）
４０＜νd2n2＜４２          ・・・（８”）
これらにより、さらに上述の効果を奏することができる。
【００４８】
また、第７のズームレンズは、第１〜第６のズームレンズにおいて、第２レンズ群中の正レンズの材料が以下の条件式を満足することが好ましい。
１．８４＜ｎd2p＜２．２０    ・・・（９）
１３＜νd2p＜３０    ・・・（１０）
ただし、
ｎd2pは第２レンズ群中の正レンズＬ2pのｄ線に対する屈折率、
νd2pは第２レンズ群中の正レンズＬ2pのアッベ数、
である。
【００４９】
第７のズームレンズにおいて上記構成をとった理由と作用を説明する。条件式（９）の上限を上回らないようにすることで、材料の量産性や入手性を良くし、コスト低減を行うことが好ましい。条件式（９）の下限を下回らないようにすることで、パワーを確保してもレンズ面の曲率絶対値を小さくでき、球面収差やコマ収差の発生を抑えやすくなる。
【００５０】
また、条件式(１０)は、色収差補正、特に軸外の倍率色収差補正に関する条件式である。第２レンズ群の大きな負パワーにより発生する色収差をこの第２レンズ群内で良好に補正するためには、正レンズに適正な範囲で比較的色分散の大きな材料を用いることが好ましい。
【００５１】
条件式（１０）の上限を上回らないようにして、分散を確保し、２つの負レンズで発生する色収差の補正を行うことが好ましい。条件式（１０）の下限を下回らないようにして、短波長側での色分散を抑え、この正レンズで発生する短波長側の色収差を抑えて２次スペクトルの発生を抑えることが好ましい。
【００５２】
以下を満足するとなお良い。
１．８７＜ｎd2p＜２．１５    ・・・（９’）
１５＜νd2p＜２６            ・・・(１０’)
以下を満足すると更に良い。
１．９０＜ｎd2p＜２．１２    ・・・（９”）
１７＜νd2p＜２０            ・・・(１０”)
これらにより、さらに上述の効果を奏することができる。
【００５３】
また、第８のズームレンズは、第１〜第７のズームレンズにおいて、さらに収差の発生を抑えて良好な光学性能を得るために、第２レンズ群の最も物体側の第１負レンズＬ2n1の少なくとも物体側のレンズ面に非球面を配置すると良い。また、両面非球面としても良い。コマ収差や像面湾曲の補正に効果がある。
【００５４】
このとき、以下の条件式を満足するようにすると良い。
０．００１＜ａｓｐ2n1f／ｆw＜０．０７    ・・・（１１）
０．００５＜（ａｓｐ2n1f ＋｜ａｓｐ2n1r|）／ｆw＜０．１５    ・・・（１２）
ただし、
ａｓｐ2n1fは第２レンズ群中の第１負レンズＬ2n1の物体側のレンズ面における非球面偏倚量、
ａｓｐ2n1rは第２レンズ群中の第１負レンズＬ2n1の像側のレンズ面における非球面偏倚量、
ｆwは広角端でのズームレンズ全系焦点距離である。
【００５５】
非球面偏倚量とは、図２２に示すように、レンズ面の面頂と同じ面頂を持ちそのレンズ面の近軸曲率半径を曲率半径とする球面を基準球面としたとき、そのレンズ面における広角端での最大光線入射高の位置にて、光軸に平行な方向に測ったときの基準面からレンズ面までの距離であり、像側方向を正符号とする。レンズ面が球面または平面の場合の非球面偏倚量は０となる。
【００５６】
第８のズームレンズにおいて上記構成をとった理由と作用を説明する。条件式（１１）の下限を下回らないようにして第１負レンズの物体側面の周辺部分にて負の屈折力を小さくすることで、広角側での軸外収差の補正を行いやすくなる。条件式（１１）の上限を上回らないようにして非球面偏倚量を抑えることで偏心による非対称な収差の発生を抑えやすくすることが好ましい。
【００５７】
条件式(１２)の下限を下回らないようにすることで、非球面による収差補正効果を確保しやすくなり、過剰なたる型の歪曲収差を抑えやすくなる。条件式(１２)の上限を上回らないようにすることで、非球面の形状変化の程度を抑えられ、偏心による収差への影響を抑えやすくなる。
【００５８】
条件式（１１）、（１２）の下限値を、共に、０．００６更には０．０１とすることが好ましい。条件式（１１）、（１２）の上限値を、共に、０．０６更には０．０４とすることが好ましい。
【００５９】
第２レンズ群と同様にコンパクト化の観点から、第１レンズ群も少ないレンズ枚数で構成したほうが沈胴時の小型化に有利である。また、高変倍比化を行うと、特に望遠端での色収差の発生を抑えることが好ましい。
【００６０】
そこで、第９のズームレンズは、第１〜第８のズームレンズにおいて、第１レンズ群は、正レンズＬ1pと負レンズＬ1nの２枚のレンズから構成し色収差を抑えながら小型化に有利とすることが好ましい。
【００６１】
また、第１０のズームレンズは、第９のズームレンズにおいて、第１レンズ群の負レンズと正レンズは接合されていないそれぞれ独立した単レンズからなる構成としても良い。このようにすると、２つのレンズの間に形成される空気レンズを利用して、特に望遠端のコマ収差を良好に補正できるようになる。
【００６２】
このとき、第１１のズームレンズは、第１０のズームレンズにおいて、以下の条件式を満足するようにすると良い。
０.０≦ｄ1np／ｄ1＜０．２    ・・・（１３）
ただし、
ｄ1npは第１レンズ群の負レンズと正レンズの光軸上での間隔、
ｄ1は第１レンズ群の入射面から射出面までの光軸上での距離、
である。
【００６３】
第１１のズームレンズにおいて上記構成をとった理由と作用を説明する。条件式（１３）の上限を上回らないようにして、最も物体側のレンズを通る軸外光線の入射する高さを抑え、レンズ有効径を抑えることで、径方向のコンパクト化を行いやすくなる。条件式（１３）の下限を下回り符号がマイナスになることはない。
【００６４】
以下のようにするとなお良い。
０.０≦ｄ1np／ｄ1＜０．１    ・・・(１３’）
以下のようにすると更に良い。
０.０≦ｄ1np／ｄ1＜０．０３    ・・・(１３”）
これらにより、さらに上述の効果を奏することができる。
【００６５】
また、第１２のズームレンズは、第９のズームレンズにおいて、第１レンズ群の負レンズと正レンズは接合しても良い。これにより、広角端の倍率色収差や望遠端の軸上色収差を良好に補正できる。また、相対偏心による性能劣化に起因する歩留まり悪化を緩和でき、コストダウンにつながる。
【００６６】
また、第１３のズームレンズは、第９〜第１２のズームレンズにおいて、第１レンズ群の正レンズＬ1p、負レンズＬ1nについて最適な材料を設定しておくのが良い。具体的には、以下の条件式を満足するようにすると良い。
１．４７＜ｎd1p＜１．９０    ・・・（１４）
４０＜νd1p＜８５            ・・・（１５）
１．７５＜ｎd1n＜２．０６    ・・・（１６）
１２＜νd1n＜３１            ・・・（１７）
【００６７】
第１３のズームレンズにおいて上記構成をとった理由と作用を説明する。条件式（１４）の上限を上回らないようにして、材料の量産性や入手性を良くし、コスト低減を行うことが好ましい。条件式（１４）の下限を下回らないようにすることで、屈折力を確保してもレンズ面の曲率絶対値を小さくでき、球面収差やコマ収差の発生を抑えやすくなる。
【００６８】
条件式（１５）の上限を上回らないようにして、屈折率の高い材料の入手性を高くすることが好ましい。条件式（１５）の下限を下回らないようにすることで、色分散を抑え、色収差の補正に有利となる。
【００６９】
条件式（１６）の上限を上回らないようにすることで、材料の量産性や入手性を良くし、コスト低減を行うことが好ましい。条件式（１６）の下限を下回らないようにすることで、パワーを確保してもレンズ面の曲率絶対値を小さくでき、球面収差やコマ収差の発生を抑えやすくなる。
【００７０】
条件式（１７）は、色収差補正、特に軸上色収差補正に関する条件式である。大きな正パワーにより発生する色収差をこの第１レンズ群内で良好に補正するためには、負レンズに適正な範囲で比較的色分散の大きな材料を用いることが好ましい。条件式（１７）の上限を上回らないようにして、分散を確保し、正レンズで発生する色収差の補正を行うことが好ましい。条件式（１７）の下限を下回らないようにして、短波長側での色分散を抑え、この正レンズで発生する短波長側の色収差を抑えて２次スペクトルの発生を抑えることが好ましい。
【００７１】
以下を満足するとなお良い。
１．５７＜ｎd1p＜１．８０    ・・・（１４’）
４５＜νd1p＜７０            ・・・（１５’）
１．８２＜ｎd1n＜２．０４    ・・・（１６’）
１５＜νd1n＜２７            ・・・（１７’）
以下を満足すると更に良い。
１．６８＜ｎd1p＜１．７２    ・・・（１４”）
５０＜νd1p＜５５            ・・・（１５”）
１．９０＜ｎd1n＜２．０２    ・・・（１６”）
１８＜νd1n＜２２            ・・・（１７”）
これらにより、さらに上述の効果を奏することができる。
【００７２】
また、第１４のズームレンズは、第９〜第１３のズームレンズにおいて、第１レンズ群は、物体側から順に、負レンズ、正レンズの並びとすると良い。このようにすると、第１レンズ群の後側主点の位置が像側に寄るため、変倍比の確保に効果がある。
【００７３】
また、第１５のズームレンズは、第１〜第１４のズームレンズにおいて、第３レンズ群の構成は、鏡筒の薄型化のためには３枚以下のレンズからなる構成とするのが良い。
【００７４】
特に、第１６のズームレンズは、第１５のズームレンズにおいて、第３レンズ群は物体側から順に、正レンズ、正レンズ、負レンズの３枚のレンズからなる構成とすることが望ましい。これにより、正レンズの正パワーを２枚のレンズに分散させ、像側の負レンズを設けることで、球面収差等の収差を抑えやすくすると共に、第３レンズ群の主点を物体よりにしやすくしている。主点を物体よりにすることで、第３レンズ群の変倍比の確保に有利となる。
【００７５】
さらに、第３レンズ群中の物体側から２番目の正レンズと負レンズは接合することが好ましい。正レンズと負レンズを接合することで、軸上色収差の補正をより効果的に行うことができる。また、正レンズと負レンズを接合レンズとすることで、組み立て工程でのレンズ同士の相対偏心による光学性能の劣化を防ぐことができる。このため、歩留まりの向上やコストダウンにつながる。
【００７６】
さらに、第３レンズ群内に１面以上の非球面を配置することで球面収差やコマ収差の補正に一層効果がある。特に、最も物体側の正レンズを両面非球面とすることが好ましい。複数のレンズに非球面を配置するとレンズの相対偏心による光学性能劣化が大きくなりがちだが、このように１枚のレンズの両側面を非球面とすることでレンズ相対偏心による光学性能劣化を小さく抑えながら、球面収差とコマ収差をより良好に補正することが可能となる。
【００７７】
また、第１７のズームレンズは、第１〜第１６のズームレンズにおいて、コンパクト化と光学性能のバランスの観点から、第１レンズ群のパワーを以下の条件式を満足するように設定することが好ましい。
０．３＜ｆ1／ｆt＜１．５    ・・・（１８）
ただし、ｆ1は第１レンズ群の焦点距離である。
【００７８】
第１７のズームレンズにおいて上記構成をとった理由と作用を説明する。条件式（１８）の上限を上回らないようにして第１レンズ群の正パワーを確保することで、ズームレンズ全系の全長を小さくしやすくなり小型化しやすくなる。条件式（１８）の下限を下回らないようにして、パワーを適度に抑えることで、望遠端での球面収差やコマ収差を抑えやすくなる。
【００７９】
以下を満足するとなお良い。
０．４５＜ｆ1／ｆt＜１．１    ・・・（１８’）
以下を満足すると更に良い。
０．６＜ｆ1／ｆt＜０．７    ・・・（１８”）
これらにより、さらに上述の効果を奏することができる。
【００８０】
また、第１８のズームレンズは、第１〜第１７のズームレンズにおいて、第３レンズ群のパワーについては、以下の条件式を満足するようにすると良い。
０．０７＜ｆ3／ｆt＜０．５３    ・・・（１９）
ただし、ｆ3は第３レンズ群の焦点距離である。
【００８１】
第１８のズームレンズにおいて上記構成をとった理由と作用を説明する。条件式（１９）の上限を上回らないようにしてパワーを確保することで、全長の短縮化に有利となる。条件式（１９）の下限を下回らないようにして屈折力を抑えることで、第３レンズ群での収差補正に有利となる。
【００８２】
以下を満足するとなお良い。
０．１１＜ｆ3／ｆt＜０．４０  ・・・（１９’）
以下を満足すると更に良い。
０．１５＜ｆ3／ｆt＜０．２７  ・・・（１９”）
これらにより、さらに上述の効果を奏することができる。
【００８３】
また、第１９のズームレンズは、第１〜第１８のズームレンズにおいて、ズームレンズを、物体側から順に、第１レンズ群、第２レンズ群、第３レンズ群、正屈折力を有する第４レンズ群からなる４群ズームレンズとしてもよい。
【００８４】
第１９のズームレンズにおいて上記構成をとった理由と作用を説明する。正屈折力の第４レンズ群により、ズームレンズの全長を小さくしやすくなる。また、射出瞳を物体側に位置させやすくなり、電子撮像素子を用いる場合に一層有利となる。
【００８５】
また、第２０のズームレンズは、第１〜第１８のズームレンズにおいて、ズームレンズを、物体側から順に、第１レンズ群、第２レンズ群、第３レンズ群、負屈折力を有する第４レンズ群、正屈折力を有する第５レンズ群からなる５群ズームレンズとしてもよい。
【００８６】
第２０のズームレンズにおいて上記構成をとった理由と作用を説明する。正屈折力の第５レンズ群により、ズームレンズの全長を小さくしやすくなる。また、射出瞳を物体側に位置させやすくなり、電子撮像素子を用いる場合に一層有利となる。加えて、負屈折力の第４レンズ群を変倍時に第３レンズ群、第５レンズ群とは独立して移動させることにより、変倍時に変化する軸外収差の補正に有利となる。
【００８７】
また、第２１のズームレンズは、第１９〜第２０のズームレンズにおいて、これらの場合、ズームレンズ中最も像側に位置するレンズ群のパワーについては、以下の条件式を満足するようにすると良い。
０．２＜ｆRE／ｆt＜０．９    ・・・（２０）
ただし、ｆREはズームレンズ中最も像側に位置するレンズ群の焦点距離である。
【００８８】
第２１のズームレンズにおいて上記構成をとった理由と作用を説明する。条件式（２０）の上限を上回らないようにして最も像側に位置するレンズ群のパワーを確保することで、軸外光線を屈折させる作用を確保することが好ましい。像面に配置するＣＣＤやＣＭＯＳ等の電子撮像素子に入射する光線角度を小さくでき、撮影画面周辺部での明るさのかげり（シェーディング）の発生を抑えやすくなる。条件式（２０）の下限を下回らないようにすることで、像面湾曲が補正不足になるのを抑えるやすくなる。また、フォーカシング動作は最も像側のレンズ群に移動にて行うのが望ましいが、フォーカシングの際の像面湾曲の変動を抑えやすくもなる。
【００８９】
以下の条件を満足するとなお良い。
０．３＜ｆRE／ｆt＜０．７    ・・・(２０’)
以下のようにすると更に良い。
０．４＜ｆRE／ｆt＜０．５    ・・・(２０”)
これらにより、さらに上述の効果を奏することができる。
【００９０】
また、最も像側のレンズ群はプラスチック材料で形成しても良い。最も像側のレンズ群の主な役割としては、射出瞳位置を適切な位置に配置してＣＣＤやＣＭＯＳ等の電子撮像素子に効率よく光線を入射させることである。そのような役割のためには、上述した条件式(２０)のような範囲内にパワーが設定されていれば、比較的大きなパワーは必要とせず、プラスチックレンズのような屈折率の低い材料を用いて構成することも可能である。最も像側のレンズ群にプラスチックレンズを用いれば、コストを安く抑え、より安価なズームレンズを提供することが可能となる。
【００９１】
また、第２２のズームレンズは、第１〜第２１のズームレンズにおいて、以下の条件式を満足するのが良い。
４．８＜ｆt／ｆw＜１５．０    ・・・（２１）
ただし、ｆwは広角端でのズームレンズ全系の焦点距離である。
【００９２】
第２２のズームレンズにおいて上記構成をとった理由と作用を説明する。条件式（２１）の上限を上回らないようにして、光学性能を確保しやすくすることが好ましい。条件式（２１）の下限を下回らないようにして変倍比を確保することで、本発明のズームレンズの小型化、高変倍比化の機能を充分に活かせる。
【００９３】
以下のようにするとなお良い。
５．５＜ｆt／ｆw＜１２．０    ・・・（２１’）
以下のようにすると更に良い。
６．５＜ｆt／ｆw＜９．０    ・・・（２１”）
これらにより、さらに上述の効果を奏することができる。
【００９４】
また、第１の電子撮像装置は、上述のズームレンズと、その像側に配置され、ズームレンズにより形成される光学像を電気信号に変換する撮像素子を有する電子撮像装置としてもよい。
【００９５】
また、第２の電子撮像装置は、第１の電子撮像装置において、以下の条件式を満足するのが良い。
０．４８＜Ｉm／ｆw＜０．８５    ・・・（２２）
ただし、
Ｉmは有効撮像領域における最大像高、
ｆwは広角端でのズームレンズ全系の焦点距離、
である。
【００９６】
有効撮像領域とは、撮像素子上の撮像面のうち、画像の表示、記録を行う領域であり、領域が変化する場合は、像高が最も大きい状態での像高を最大像高Imと定義する。条件式（２２）の上限を上回らないようにすることで、撮影画角が大きくなり過ぎないようにし、たる型の歪曲収差の発生を小さくすることが好ましい。条件式（２２）の下限を下回らないようにして、本構成を採用する小型化のメリットを活かすことが好ましい。
【００９７】
以下のようにするとなお良い。
０．５０＜Ｉm／ｆw＜０．７８    ・・・（２２’）
以下のようにすると更に良い。
０．５５＜Ｉm／ｆw＜０．６    ・・・（２２”)
これらにより、さらに上述の効果を奏することができる。
【００９８】
また、明るさ絞りは広角端から望遠端への変倍時に第３レンズ群と一体で移動させても良い。軸外光線の高さが低くなる場所であるので第３レンズ群の小型化に一層有利となる。さらには、明るさ絞りとシャッター機構を一体構成としてもよい。シャッターユニットが大型化せずにすみ、明るさ絞りおよびシャッターユニットを移動させるときのデッドスペースが小さくてすむ。
【００９９】
またゴースト、フレア等の不要光をカットするために、明るさ絞り以外の場所にフレア絞りを配置してもかまわない。第１レンズ群の物体側、第１、２レンズ群間、第２、３レンズ群間、後群中のレンズ群間、後群から像面の間のいずれの場所に配置しても良い。レンズ群を保持する枠部材によりフレア光線をカットするように構成しても良いし、枠部材とは別の部材でフレア絞りを構成しても良い。またレンズに直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【０１００】
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０１０１】
またピント調節を行うためのフォーカシングはズームレンズ中の最も像側のレンズ群で行うことが望ましい。最も像側のレンズ群は軽量にしやすく、フォーカシング時にモータにかかる負荷を小さくできる。さらに、フォーカシング時に全長が変化しないし、鏡枠内部に駆動モータを配置できるため、鏡枠のコンパクト化に有利である。上述のように最も像側のレンズ群でフォーカシングを行うことが望ましいが、第１、２、３レンズ群でフォーカシングを行っても良い。また複数のレンズ群を移動してフォーカシングを行っても良い。またレンズ系全体を繰り出してフォーカスを行っても良いし、一部のレンズを繰り出し、もしくは繰り込みしてフォーカスしても良い。
【０１０２】
また画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。また意図的にズームレンズで歪曲収差を出しておき、撮影後に電気的に画像処理を行って歪みを補正してもかまわない。
【０１０３】
上述の各発明は、任意に複数を同時に満足することがより好ましい。また、各条件式について、より限定した条件式の数値範囲の上限値あるいは下限値のみを限定しても構わない。また、上述の各構成は、任意に組み合わせて構わない。
【発明の効果】
【０１０４】
以上述べたように、本発明によれば、変倍比の確保と、望遠端での全長の短縮に有利であり、光学性能も確保しやすいズームレンズを提供できる。さらには、そのようなズームレンズを備えた小型の電子撮像装置を提供できる。
【発明を実施するための最良の形態】
【０１０５】
以下に、本発明に係るズームレンズ、撮像装置の実施例を図面に基づいて詳細に説明する。なお、この実施例によりこの発明が限定されるものではない。
【０１０６】
以下に示す実施例は、７倍程度の高変倍比で、望遠端でのＦNOを明るく、コンパクトなズームレンズを実現している。また、撮影画像の画質は良好に維持されており、またＣＣＤやＣＭＯＳ等の電子撮像素子に適している安価なズームレンズとなっている。
【０１０７】
以下、本発明のズームレンズの実施例１〜８について説明する。実施例１〜８の無限遠物点合焦時の広角端（ａ）、ズーミングの途中の中間状態（ｂ）、望遠端（ｃ）のレンズ断面図をそれぞれ図１〜図８に示す。図１〜図８中、第１レンズ群はＧ１、第２レンズ群はＧ２、開口絞りはＳ、第３レンズ群はＧ３、第４レンズ群はＧ４、第５レンズ群はＧ５、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１０８】
また、各実施例において、明るさ絞りＳは第３レンズ群Ｇ３と一体で移動する。数値データはいずれも無限遠の被写体に合焦した状態でのデータである。各数値の長さの単位はｍｍ、角度の単位は°（度）である。フォーカシングはいずれの実施例も最も像側のレンズ群の移動により行う。各実施例の像高Ｉmはいずれも３．８４ｍｍである。さらに、ズームデータは広角端（ＷＥ）、ズーミングの途中の中間状態（ＳＴ）、望遠端（ＴＥ）での値である。第３レンズ群内の平面は、フレア絞りを表している。
【０１０９】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１１０】
広角端から望遠端にかけての変倍時、第１レンズ群Ｇ１は物体側に移動し、第２レンズ群Ｇ２は像側に移動し、第３レンズ群Ｇ３は明るさ絞りＳと一体に物体側に移動し、第４レンズ群Ｇ４は像側に移動する。
【０１１１】
物体側から順に、第１レンズ群Ｇ１は、物体側に凸面を向けた第１負メニスカスレンズと、第２両凸正レンズから構成される。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１１２】
非球面は、第２両凸正レンズの像側の面と、第３両凹負レンズの両面と、第５両凹負レンズの像側の面と、第６両凸正レンズの両面と、第９両凸正レンズの物体側の面との７面に用いている。
【０１１３】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１１４】
広角端から望遠端にかけての変倍時、第１レンズ群Ｇ１は物体側に移動し、第２レンズ群Ｇ２は像側に移動し、第３レンズ群Ｇ３は明るさ絞りＳと一体に物体側に移動し、第４レンズ群Ｇ４は一旦物体側に移動したあと移動方向が反転して像側に移動する。
【０１１５】
物体側から順に、第１レンズ群Ｇ１は、物体側に凸面を向けた第１負メニスカスレンズと、第２両凸正レンズから構成される。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１１６】
非球面は、第２両凸正レンズの像側の面と、第３両凹負レンズの両面と、第６両凸正レンズの両面と、第９両凸正レンズの物体側の面との６面に用いている。
【０１１７】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１１８】
広角端から望遠端にかけての変倍時、第１レンズ群Ｇ１は物体側に移動し、第２レンズ群Ｇ２は像側に移動し、第３レンズ群Ｇ３は明るさ絞りＳと一体に物体側に移動し、第４レンズ群Ｇ４は一旦物体側に移動したあと移動方向が反転して像側に移動する。
【０１１９】
物体側から順に、第１レンズ群Ｇ１は、物体側に凸面を向けた第１負メニスカスレンズと、第２両凸正レンズから構成される。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１２０】
非球面は、第２両凸正レンズの像側の面と、第３両凹負レンズの両面と、第６両凸正レンズの両面と、第９両凸正レンズの両面との７面に用いている。
【０１２１】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２２】
広角端から望遠端にかけての変倍時、第１レンズ群Ｇ１は物体側に移動し、第２レンズ群Ｇ２は像側に移動し、第３レンズ群Ｇ３は明るさ絞りＳと一体に物体側に移動し、第４レンズ群Ｇ４は一旦物体側に移動したあと移動方向が反転して像側に移動する。
【０１２３】
物体側から順に、第１レンズ群Ｇ１は、物体側に凸面を向けた第１負メニスカスレンズと、第２両凸正レンズから構成される。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１２４】
非球面は、第２両凸正レンズの像側の面と、第３両凹負レンズの両面と、第６両凸正レンズの両面と、第９両凸正レンズの両面との７面に用いている。
【０１２５】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１２６】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１２７】
物体側から順に、第１レンズ群Ｇ１は、物体側に凸面を向けた第１負メニスカスレンズと、第２両凸正レンズから構成される。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１２８】
非球面は、第２両凸正レンズの像側の面と、第３両凹負レンズの両面と、第６両凸正レンズの両面と、第９両凸正レンズの両面との７面に用いている。
【０１２９】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１３０】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１３１】
物体側から順に、第１レンズ群Ｇ１は、物体側に凸面を向けた第１負メニスカスレンズと、第２両凸正レンズから構成される。第１負メニスカスレンズと、第２両凸正レンズは接合されている。第２レンズ群Ｇ２は、第３両凹負レンズと、物体側に凸面を向けた第４正メニスカスレンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１３２】
非球面は、第２両凸正レンズの像側の面と、第３両凹負レンズの両面と、第６両凸正レンズの両面と、第９両凸正レンズの両面との７面に用いている。
【０１３３】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１３４】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は像側に移動する。
【０１３５】
物体側から順に、第１レンズ群Ｇ１は、物体側に凸面を向けた第１負メニスカスレンズと、第２両凸正レンズから構成される。第１負メニスカスレンズと、第２両凸正レンズは接合されている。第２レンズ群Ｇ２は、第３両凹負レンズと、第４両凸正レンズと、第５両凹負レンズから構成される。第３レンズ群Ｇ３は、第６両凸正レンズと、物体側に凸面を向けた第７正メニスカスレンズと、物体側に凸面を向けた第８負メニスカスレンズから構成される。第７正メニスカスレンズと、第８負メニスカスレンズは接合されている。第４レンズ群Ｇ４は、第９両凸正レンズで構成されている。
【０１３６】
非球面は、第２両凸正レンズの像側の面と、第３両凹負レンズの両面と、第６両凸正レンズの両面と、第９両凸正レンズの両面との７面に用いている。
【０１３７】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第４レンズ群Ｇ５とを配置している。
【０１３８】
広角端から望遠端にかけての変倍時、第１レンズ群Ｇ１は物体側に移動し、第２レンズ群Ｇ２は一旦物体側に移動したあと移動方向が反転して像側に移動し、第３レンズ群Ｇ３は明るさ絞りＳと一体に物体側に移動し、第４レンズ群Ｇ４は物体側に移動し、第５レンズ群Ｇ５は像側に移動する。
【０１３９】
物体側から順に、第１レンズ群Ｇ１は、物体側に凸面を向けた第１負メニスカスレンズと、第２両凸正レンズから構成される。第１負メニスカスレンズと、第２両凸正レンズは接合されている。第２レンズ群Ｇ２は、第３両凹負レンズと、第４両凸正レンズと、第５両凹負レンズから構成される。第３レンズ群Ｇ３は、第６両凸正レンズから構成される。第４レンズ群Ｇ４は、物体側に凸面を向けた第７正メニスカスレンズと、物体側に凸面を向けた第８負メニスカスレンズから構成される。第７正メニスカスレンズと、第８負メニスカスレンズは接合されている。第５レンズ群Ｇ５は、第９両凸正レンズで構成されている。
【０１４０】
非球面は、第２両凸正レンズの像側の面と、第３両凹負レンズの両面と、第６両凸正レンズの両面と、第９両凸正レンズの両面との７面に用いている。
【０１４１】
以下に、上記各実施例の数値データを示す。記号は上記の外、ｆは全系焦点距離、ＢＦはバックフォーカス、f1、f2・・・は各レンズ群の焦点距離、Ｉmは像高、ＦNOはＦナンバー、ωは半画角、ＷＥは広角端、ＳＴはズーミングの途中の中間状態、ＴＥは望遠端、ｒ1、ｒ2…は各レンズ面の曲率半径、ｄ1、ｄ2…は各レンズ面間の間隔、ｎd1、ｎd2…は各レンズのｄ線の屈折率、νd1、νd2…は各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１４２】
なお、非球面形状は、ｘを光の進行方向を正とした光軸とし、ｙを光軸と直交する方向にとると、下記の式にて表される。
【０１４３】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１４４】
実施例１
ｒ1 =  500.207            ｄ1 =  0.80     ｎd1 =  2.00170     νd1 =  20.64
ｒ2 =   45.739            ｄ2 =  0.10
ｒ3 =   19.596            ｄ3 =  3.46     ｎd2 =  1.69350     νd2 =  53.21
ｒ4 =  -34.537（非球面）  ｄ4 =（可変） 
ｒ5 =  -17.590（非球面）  ｄ5 =  0.80     ｎd3 =  1.83481     νd3 =  42.71
ｒ6 =   10.463（非球面）  ｄ6 =  0.88
ｒ7 =   14.610            ｄ7 =  1.95     ｎd4 =  1.94595     νd4 =  17.98
ｒ8 =  -82.373            ｄ8 =  0.40
ｒ9 =  -21.383            ｄ9 =  0.79     ｎd5 =  1.88300     νd5 =  40.76
ｒ10=   28.821            ｄ10=（可変） 
ｒ11=     ∞（絞り）      ｄ11=  0.10
ｒ12=    5.254（非球面）  ｄ12=  2.45     ｎd6 =  1.59201     νd6 =  67.02
ｒ13=  -29.571（非球面）  ｄ13=  0.10
ｒ14=     ∞              ｄ14=  0.00
ｒ15=    4.791            ｄ15=  1.28     ｎd7 =  1.48749     νd7 =  70.23
ｒ16=    6.925            ｄ16=  0.80     ｎd8 =  2.00069     νd8 =  25.46
ｒ17=    3.210            ｄ17=（可変） 
ｒ18=   37.416（非球面）  ｄ18=  1.90     ｎd9 =  1.74330     νd9 =  49.33
ｒ19=  -22.377            ｄ19=（可変） 
ｒ20=     ∞              ｄ20=  0.40     ｎd10=  1.54771     νd10=  62.84
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第4面
Ｋ =    0.000
Ａ4 =    3.91766e-05
Ａ6 =   -1.77968e-08
Ａ8 =   -6.65444e-10 
Ａ10=    4.31894e-12  
第5面
Ｋ =    0.000
Ａ4 =    8.38673e-05 
Ａ6 =    5.42081e-06
Ａ8 =   -7.08744e-08 
Ａ10=    1.98215e-10  
第6面
Ｋ =    0.000
Ａ4 =   -2.01234e-04 
Ａ6 =    7.58799e-06
Ａ8 =   -1.78418e-08 
Ａ10=    1.68048e-09  
第12面
Ｋ =    0.000
Ａ4 =   -3.98391e-04 
Ａ6 =    6.47480e-07
Ａ8 =   -1.71049e-06 
Ａ10=    2.44901e-07  
第13面
Ｋ =    0.000
Ａ4 =    7.22162e-04 
Ａ6 =    1.82097e-05 
Ａ8 =   -3.19628e-06 
Ａ10=    4.88986e-07  
第18面
Ｋ =    0.000
Ａ4 =    1.56725e-04 
Ａ6 =    9.81895e-06
Ａ8 =   -3.64558e-07 
Ａ10=    5.59353e-09  
ズームデータ（∞）
ズーム比          6.59579 
f1           28.5573
f2           -7.70601
f3           10.6269
f4           19.0979  
ＷＥ      ＳＴ      ＴＥ          
ｆ（mm）       6.60     17.00     44.28     
ＦNO            3.30      4.56      5.23     
２ω（°）    67.97     26.05     10.08     
Ｉm             3.84      3.84      3.84
レンズ全長         40.695    47.153    49.279
BF              6.459     5.866     4.594
ｄ4             0.60      7.21     13.71    
ｄ10           14.58      8.31      1.68     
ｄ17            3.24      9.96     13.47     
ｄ19            5.06      4.45      3.13    
【０１４５】
実施例２
ｒ1 =  221.686            ｄ1 =  0.80     ｎd1 =  1.92286     νd1 =  18.90
ｒ2 =   45.779            ｄ2 =  0.10
ｒ3 =   20.719            ｄ3 =  3.15     ｎd2 =  1.69350     νd2 =  53.21
ｒ4 =  -37.693（非球面）  ｄ4 =（可変） 
ｒ5 =  -16.878（非球面）  ｄ5 =  0.80     ｎd3 =  1.83481     νd3 =  42.71
ｒ6 =   11.006（非球面）  ｄ6 =  0.87
ｒ7 =   16.621            ｄ7 =  2.01     ｎd4 =  1.92286     νd4 =  18.90
ｒ8 =  -38.980            ｄ8 =  0.42
ｒ9 =  -18.455            ｄ9 =  0.79     ｎd5 =  1.88300     νd5 =  40.76
ｒ10=   30.191            ｄ10=（可変）
ｒ11=     ∞（絞り）      ｄ11=  0.14
ｒ12=    4.989（非球面）  ｄ12=  2.20     ｎd6 =  1.49700     νd6 =  81.54
ｒ13=  -14.752（非球面）  ｄ13=  0.10
ｒ14=     ∞              ｄ14=  0.00
ｒ15=    6.955            ｄ15=  1.95     ｎd7 =  1.51633     νd7 =  64.14
ｒ16=   28.287            ｄ16=  0.69     ｎd8 =  1.66680     νd8 =  33.05
ｒ17=    3.379            ｄ17=（可変） 
ｒ18=   36.911（非球面）  ｄ18=  1.96     ｎd9 =  1.69350     νd9 =  53.21
ｒ19=  -20.395            ｄ19=（可変） 
ｒ20=     ∞              ｄ20=  0.40     ｎd10=  1.54771     νd10=  62.84
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第4面
Ｋ =    0.000
Ａ4 =    3.30421e-05
Ａ6 =   -3.16331e-08 
Ａ8 =   -3.25000e-10 
Ａ10=    2.39929e-12  
第5面
Ｋ =    0.000
Ａ4 =    5.35538e-05
Ａ6 =    4.60091e-06
Ａ8 =   -1.48875e-08
Ａ10=   -4.13261e-10  
第6面
Ｋ =    0.000
Ａ4 =   -2.58349e-04 
Ａ6 =    6.96644e-06
Ａ8 =   -4.05237e-08 
Ａ10=    3.32090e-09  
第12面
Ｋ =    0.000
Ａ4 =   -7.90545e-04
Ａ6 =   -1.03563e-05
Ａ8 =   -1.56201e-06 
Ａ10=    1.92987e-07  
第13面
Ｋ =    0.000
Ａ4 =    5.96245e-04 
Ａ6 =    3.72740e-06
Ａ8 =   -1.23081e-06 
Ａ10=    2.60366e-07  
第18面
Ｋ =    0.000
Ａ4 =    1.26076e-04 
Ａ6 =    1.48024e-05
Ａ8 =   -6.90546e-07 
Ａ10=    1.20624e-08  
ズームデータ（∞）
ズーム比         6.71032
f1          28.3248
f2          -7.66459
f3          10.8338
f4          19.2118
ＷＥ      ＳＴ      ＴＥ          
ｆ（mm）        6.62     16.93     44.43     
ＦNO             3.30      4.42      5.20     
２ω（°）     67.99     25.84      9.99     
Ｉm              3.84      3.84      3.84
レンズ全長          40.817    46.705    49.342
BF               6.716     6.843     4.614
ｄ4              0.65      7.25     13.64     
ｄ10           14.54      7.88      1.67     
ｄ17            2.92      8.74     13.42     
ｄ19            5.30      5.33      3.14     
【０１４６】
実施例３
ｒ1 =  163.955            ｄ1 =  0.80     ｎd1 =  1.92286     νd1 =  18.90
ｒ2 =   42.291            ｄ2 =  0.10
ｒ3 =   20.541            ｄ3 =  3.17     ｎd2 =  1.69350     νd2 =  53.21
ｒ4 =  -37.061（非球面）  ｄ4 =（可変） 
ｒ5 =  -17.129（非球面）  ｄ5 =  0.80     ｎd3 =  1.83481     νd3 =  42.71
ｒ6 =   10.282（非球面）  ｄ6 =  0.86
ｒ7 =   15.198            ｄ7 =  1.95     ｎd4 =  1.92286     νd4 =  18.90
ｒ8 =  -50.025            ｄ8 =  0.44
ｒ9 =  -18.626            ｄ9 =  0.79     ｎd5 =  1.88300     νd5 =  40.76
ｒ10=   32.908            ｄ10=（可変） 
ｒ11=     ∞（絞り）      ｄ11=  0.14
ｒ12=    4.978（非球面）  ｄ12=  2.20     ｎd6 =  1.49700     νd6 =  81.54
ｒ13=  -15.799（非球面）  ｄ13=  0.10
ｒ14=     ∞              ｄ14=  0.00
ｒ15=    6.943            ｄ15=  1.95     ｎd7 =  1.51633     νd7 =  64.14
ｒ16=   27.806            ｄ16=  0.69     ｎd8 =  1.66680     νd8 =  33.05
ｒ17=    3.432            ｄ17=（可変） 
ｒ18=   28.200（非球面）  ｄ18=  1.94     ｎd9 =  1.69350     νd9 =  53.21
ｒ19=  -23.845（非球面）  ｄ19=（可変）
ｒ20=     ∞              ｄ20=  0.40     ｎd10=  1.54771     νd10=  62.84
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面）
非球面係数
第4面
Ｋ =    0.000
Ａ4 =    3.47248e-05
Ａ6 =   -8.49942e-08 
Ａ8 =    5.39289e-10
Ａ10=   -2.35182e-12  
第5面 
Ｋ =    0.000
Ａ4 =    5.88480e-05 
Ａ6 =    3.45472e-06
Ａ8 =   -1.95572e-09
Ａ10=   -3.95730e-10  
第6面
Ｋ =    0.000
Ａ4 =   -2.86698e-04 
Ａ6 =    7.94087e-06
Ａ8 =   -2.00213e-07 
Ａ10=    6.56702e-09  
第12面
Ｋ =    0.000
Ａ4 =   -7.66206e-04
Ａ6 =   -1.48671e-05
Ａ8 =   -4.84806e-07 
Ａ10=    1.79360e-07  
第13面
Ｋ =    0.000
Ａ4 =    6.37118e-04
Ａ6 =   -6.59683e-06 
Ａ8 =    5.90329e-07 
Ａ10=    2.31825e-07  
第18面
Ｋ =    0.000
Ａ4 =    4.53741e-04
Ａ6 =   -7.19572e-06
Ａ8 =   -1.33142e-06 
Ａ10=    4.18129e-08  
第19面 
Ｋ =    0.000
Ａ4 =    3.81656e-04
Ａ6 =   -1.41858e-05
Ａ8 =   -1.32917e-06 
Ａ10=    4.38528e-08  
ズームデータ（∞）
ズーム比       6.71839
f1        28.0288
f2        -7.57324
f3        10.889
f4        18.9193
ＷＥ      ＳＴ      ＴＥ          
ｆ（mm）        6.62     16.93     44.49 
ＦNO             3.30      4.42      5.20  
２ω（°）     68.02     25.70      9.87  
Ｉm              3.84      3.84      3.84
レンズ全長          40.472    46.861    49.328
BF               6.736     6.920     4.621
ｄ4              0.65      7.22     13.60     
ｄ10           14.28      7.84      1.67   
ｄ17            2.87      8.94     13.50     
ｄ19            5.40      5.48      3.17    
【０１４７】
実施例４
ｒ1 =  164.066            ｄ1 =  0.80     ｎd1 =  1.92286     νd1 =  18.90
ｒ2 =   42.177            ｄ2 =  0.10
ｒ3 =   20.232            ｄ3 =  3.19     ｎd2 =  1.69350     νd2 =  53.21
ｒ4 =  -37.917（非球面）  ｄ4 =（可変）  
ｒ5 =  -17.436（非球面）  ｄ5 =  0.80     ｎd3 =  1.83481     νd3 =  42.71
ｒ6 =    9.974（非球面）  ｄ6 =  0.87
ｒ7 =   14.790            ｄ7 =  1.96     ｎd4 =  1.92286     νd4 =  18.90
ｒ8 =  -53.264            ｄ8 =  0.45
ｒ9 =  -18.747            ｄ9 =  0.79     ｎd5 =  1.88300     νd5 =  40.76
ｒ10=   33.465            ｄ10=（可変） 
ｒ11=     ∞（絞り）      ｄ11=  0.14
ｒ12=    4.965（非球面）  ｄ12=  2.20     ｎd6 =  1.49700     νd6 =  81.54
ｒ13=  -15.254（非球面）  ｄ13=  0.10
ｒ14=     ∞              ｄ14=  0.00
ｒ15=    7.071            ｄ15=  1.95     ｎd7 =  1.51633     νd7 =  64.14
ｒ16=   30.040            ｄ16=  0.69     ｎd8 =  1.66680     νd8 =  33.05
ｒ17=    3.432            ｄ17=（可変） 
ｒ18=   26.757（非球面）  ｄ18=  1.95     ｎd9 =  1.69350     νd9 =  53.21
ｒ19=  -24.900（非球面）  ｄ19=（可変） 
ｒ20=     ∞              ｄ20=  0.40     ｎd10=  1.54771     νd10=  62.84
ｒ21=     ∞              ｄ21=  0.50
ｒ22=     ∞              ｄ22=  0.50     ｎd11=  1.51633     νd11=  64.14
ｒ23=     ∞              ｄ23=  0.37
ｒ24=     ∞（電子撮像素子の受光面、像面） 
非球面係数
第4面
Ｋ =    0.000
Ａ4 =    3.48139e-05
Ａ6 =   -9.00157e-08 
Ａ8 =    6.34704e-10
Ａ10=   -2.78708e-12  
第5面
Ｋ =    0.000
Ａ4 =    3.78198e-05 
Ａ6 =    3.71533e-06 
Ａ8 =    4.69201e-09
Ａ10=   -5.20656e-10  
第6面
Ｋ =    0.000
Ａ4 =   -3.12338e-04 
Ａ6 =    7.41158e-06
Ａ8 =   -1.68675e-07 
Ａ10=    6.52689e-09  
第12面
Ｋ =    0.000
Ａ4 =   -8.20320e-04
Ａ6 =   -1.82385e-05 
Ａ8 =    1.28817e-07 
Ａ10=    9.22421e-08  
第13面
Ｋ =    0.000
Ａ4 =    6.13505e-04
Ａ6 =   -1.48205e-05 
Ａ8 =    1.84127e-06 
Ａ10=    1.00722e-07  
第18面
Ｋ =    0.000
Ａ4 =    4.69138e-04
Ａ6 =   -7.29321e-06
Ａ8 =   -9.71972e-07 
Ａ10=    3.07577e-08  
第19面
Ｋ =    0.000
Ａ4 =    3.89373e-04
Ａ6 =   -1.42707e-05
Ａ8 =   -9.83228e-07 
Ａ10=    3.34093e-08  
ズームデータ（∞）
ズーム比      6.7179
f1       28.0095
f2       -7.56116
f3       10.9003
f4       18.8893
ＷＥ      ＳＴ      ＴＥ          
ｆ（mm）        6.62     17.01     44.49    
ＦNO             3.29      4.44      5.15    
２ω（°）     68.04     25.68      9.90    
Ｉm              3.84      3.84      3.84
レンズ全長          40.529    46.960    49.337
BF               6.751     6.932     4.623
ｄ4              0.64      7.20     13.61   
ｄ10            14.27      7.79      1.67   
ｄ17             2.87      9.04     13.45   
ｄ19             5.39      5.49      3.16   
【０１４８】
実施例５
ｒ1 =  164.290            ｄ1 =  0.80     ｎd1 =  1.92286    ｎd1 =  18.90
ｒ2 =   42.006            ｄ2 =  0.10
ｒ3 =   20.528            ｄ3 =  3.23     ｎd2 =  1.69350    ｎd2 =  53.21
ｒ4 =  -36.130（非球面）  ｄ4 =（可変） 
ｒ5 =  -17.430（非球面）  ｄ5 =  0.80     ｎd3 =  1.83481    ｎd3 =  42.71
ｒ6 =    9.847（非球面）  ｄ6 =  0.89
ｒ7 =   14.810            ｄ7 =  1.96     ｎd4 =  1.92286    ｎd4 =  18.90
ｒ8 =  -53.551            ｄ8 =  0.45
ｒ9 =  -19.236            ｄ9 =  0.79     ｎd5 =  1.88300    ｎd5 =  40.76
ｒ10=   33.352            ｄ10=（可変） 
ｒ11=     ∞（絞り）      ｄ11=  0.14
ｒ12=    4.993（非球面）  ｄ12=  2.20     ｎd6 =  1.49700    ｎd6 =  81.54
ｒ13=  -16.289（非球面）  ｄ13=  0.10
ｒ14=     ∞              ｄ14=  0.00
ｒ15=    6.943            ｄ15=  1.95     ｎd7 =  1.51633    ｎd7 =  64.14
ｒ16=   32.067            ｄ16=  0.69     ｎd8 =  1.66680    ｎd8 =  33.05
ｒ17=    3.446            ｄ17=（可変） 
ｒ18=   21.059（非球面）  ｄ18=  1.95     ｎd9 =  1.69350    ｎd9 =  53.21
ｒ19=  -32.749（非球面）  ｄ19=（可変） 
ｒ20=     ∞              ｄ20=  0.40     ｎd10=  1.54771    ｎd10=  62.84
ｒ21=     ∞              ｄ21=  0.50
ｒ22=     ∞              ｄ22=  0.50     ｎd11=  1.51633    ｎd11=  64.14
ｒ23=     ∞              ｄ23=  0.37
ｒ24=     ∞（電子撮像素子の受光面、像面）
非球面係数
第4面
Ｋ =    0.000
Ａ4 =    3.55846e-05
Ａ6 =   -7.84781e-08 
Ａ8 =    3.91858e-10
Ａ10=   -1.35153e-12  
第5面
Ｋ =    0.000
Ａ4 =    5.30520e-05 
Ａ6 =    3.44321e-06
Ａ8 =   -2.64614e-09
Ａ10=   -4.17059e-10  
第6面
Ｋ =    0.000
Ａ4 =   -2.90084e-04 
Ａ6 =    6.88077e-06
Ａ8 =   -1.25164e-07 
Ａ10=    4.82695e-09  
第12面
Ｋ =    0.000
Ａ4 =   -7.66431e-04
Ａ6 =   -1.26220e-05
Ａ8 =   -2.78834e-07 
Ａ10=    1.49151e-07  
第13面
Ｋ =    0.000
Ａ4 =    5.71686e-04
Ａ6 =   -3.43827e-06 
Ａ8 =    8.72738e-07 
Ａ10=    1.92117e-07  
第18面
Ｋ =    0.000
Ａ4 =    3.70848e-04
Ａ6 =   -6.68050e-06
Ａ8 =   -1.18010e-06 
Ａ10=    3.67358e-08  
第19面
Ｋ =    0.000
Ａ4 =    3.46958e-04
Ａ6 =   -1.92683e-05
Ａ8 =   -9.42946e-07 
Ａ10=    3.50981e-08  
ズームデータ（∞）
ズーム比        6.71196
f1        27.7776
f2        -7.55699
f3        11.0757
f4        18.7603
ＷＥ      ＳＴ      ＴＥ          
ｆ（mm）        6.62     17.34     44.45    
ＦNO             3.31      4.71      5.12    
２ω（°）     67.99     25.35      9.83    
Ｉm              3.84      3.84      3.84
レンズ全長          40.782    48.828    49.322
BF               6.861     5.547     4.623
ｄ4              0.63      6.95     13.62    
ｄ10            14.36      8.68      1.67   
ｄ17             2.87     11.59     13.34   
ｄ19             5.46      4.07      3.17  
【０１４９】
実施例６
ｒ1 =   23.006            ｄ1 =  0.80     ｎd1 =  1.92286     νd1 =  18.90
ｒ2 =   15.977            ｄ2 =  3.00     ｎd2 =  1.69350     νd2 =  53.21
ｒ3 =  -62.704（非球面）  ｄ3 =（可変） 
ｒ4 =  -22.989（非球面）  ｄ4 =  0.90     ｎd3 =  1.83481     νd3 =  42.71
ｒ5 =    8.008（非球面）  ｄ5 =  1.39
ｒ6 =   10.182            ｄ6 =  1.98     ｎd4 =  1.92286     νd4 =  18.90
ｒ7 =   62.378            ｄ7 =  0.73
ｒ8 =  -23.718            ｄ8 =  0.60     ｎd5 =  1.88300     νd5 =  40.76
ｒ9 =   25.162            ｄ9 =（可変）  
ｒ10=     ∞（絞り）      ｄ10=  0.14
ｒ11=    5.027（非球面）  ｄ11=  2.20     ｎd6 =  1.49700     νd6 =  81.54
ｒ12=  -12.074（非球面）  ｄ12=  0.10
ｒ13=    7.900            ｄ13=  1.95     ｎd7 =  1.51633     νd7 =  64.14
ｒ14=   33.216            ｄ14=  0.69     ｎd8 =  1.66680     νd8 =  33.05
ｒ15=    3.627            ｄ15=（可変）
ｒ16=   24.000（非球面）  ｄ16=  1.97     ｎd9 =  1.69350     νd9 =  53.21
ｒ17=  -26.936（非球面）  ｄ17=（可変） 
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面）
非球面係数
第3面
Ｋ =    0.000
Ａ4 =    1.59974e-05
Ａ6 =   -4.42324e-08 
Ａ8 =    1.84410e-10
Ａ10=   -3.58654e-13  
第4面
Ｋ =    0.000
Ａ4 =    5.75994e-05
Ａ6 =   -9.85323e-07 
Ａ8 =    9.63724e-08
Ａ10=   -1.08278e-09  
第5面
Ｋ =    0.000
Ａ4 =   -2.49956e-04 
Ａ6 =    7.63525e-06
Ａ8 =   -6.41552e-07 
Ａ10=    2.11270e-08  
第11面
Ｋ =    0.000
Ａ4 =   -1.07374e-03 
Ａ6 =    5.52660e-06
Ａ8 =   -2.37896e-06 
Ａ10=    1.85262e-07  
第12面
Ｋ =    0.000
Ａ4 =    4.77468e-04 
Ａ6 =    1.87922e-05
Ａ8 =   -1.97636e-06 
Ａ10=    2.42875e-07  
第16面
Ｋ =    0.000
Ａ4 =    2.46144e-05 
Ａ6 =    2.29610e-05
Ａ8 =   -3.04556e-06 
Ａ10=    5.72624e-08  
第17面
Ｋ =    0.000
Ａ4 =    8.68126e-21 
Ａ6 =    7.52396e-06
Ａ8 =   -2.43406e-06 
Ａ10=    4.93919e-08  
ズームデータ（∞）
ズーム比           6.71772
f1           27.4998
f2           -6.90604
f3            10.3789
f4            18.596
ＷＥ      ＳＴ      ＴＥ          
ｆ（mm）        6.63     17.25     44.55 
ＦNO             3.30      4.82      5.25 
２ω（°）     67.70     25.58      9.79 
Ｉm              3.84      3.84      3.84
レンズ全長          39.435    47.185    49.282
BF               6.659     6.073     4.628
ｄ3              0.64      6.11     12.83  
ｄ9             12.81      7.23      1.66  
ｄ15             2.87     11.31     13.70  
ｄ17             5.25      4.59      3.12  
【０１５０】
実施例７
ｒ1 =   24.009            ｄ1 =  0.80     ｎd1 =  1.92286     νd1 =  18.90
ｒ2 =   16.679            ｄ2 =  3.11     ｎd2 =  1.69350     νd2 =  53.21
ｒ3 =  -61.591（非球面）  ｄ3 =（可変） 
ｒ4 =  -17.849（非球面）  ｄ4 =  0.90     ｎd3 =  1.83481     νd3 =  42.71
ｒ5 =    8.512（非球面）  ｄ5 =  0.98
ｒ6 =   12.199            ｄ6 =  1.91     ｎd4 =  1.92286     νd4 =  18.90
ｒ7 = -629.166            ｄ7 =  0.42
ｒ8 =  -24.081            ｄ8 =  0.65     ｎd5 =  1.88300     νd5 =  40.76
ｒ9 =   33.852            ｄ9 =（可変） 
ｒ10=     ∞（絞り）      ｄ10=  0.14
ｒ11=    4.966（非球面）  ｄ11=  2.20     ｎd6 =  1.49700     νd6 =  81.54
ｒ12=  -13.809（非球面）  ｄ12=  0.10
ｒ13=    7.650            ｄ13=  1.95     ｎd7 =  1.51633     νd7 =  64.14
ｒ14=   25.423            ｄ14=  0.69     ｎd8 =  1.66680     νd8 =  33.05
ｒ15=    3.516            ｄ15=（可変） 
ｒ16=   22.535（非球面）  ｄ16=  1.97     ｎd9 =  1.69350     νd9 =  53.21
ｒ17=  -28.269（非球面）  ｄ17=（可変） 
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd1 =  64.14
ｒ21=     ∞              ｄ21=  0.37
ｒ22=     ∞（電子撮像素子の受光面、像面）
非球面係数
第3面
Ｋ =    0.000
Ａ4 =    1.45797e-05
Ａ6 =   -2.83973e-08 
Ａ8 =    1.43593e-10
Ａ10=   -7.28441e-13  
第4面
Ｋ =    0.000
Ａ4 =    7.92371e-05 
Ａ6 =    3.01302e-06 
Ａ8 =    7.02997e-09
Ａ10=   -5.47908e-10  
第5面
Ｋ =    0.000
Ａ4 =   -2.80133e-04 
Ａ6 =    5.81816e-06
Ａ8 =   -7.40250e-08 
Ａ10=    6.16626e-09  
第11面
Ｋ =    0.000
Ａ4 =   -9.43285e-04
Ａ6 =   -1.52224e-05
Ａ8 =   -6.21863e-07 
Ａ10=    1.24039e-07  
第12面
Ｋ =    0.000
Ａ4 =    5.15161e-04
Ａ6 =   -2.94658e-06
Ａ8 =   -2.87406e-08
Ａ10=    1.82809e-07  
第16面
Ｋ =    0.000
Ａ4 =    2.83398e-04
Ａ6 =   -5.55729e-06
Ａ8 =   -1.61308e-06 
Ａ10=    5.52699e-08  
第17面
Ｋ =    0.000
Ａ4 =    2.63848e-04
Ａ6 =   -2.09586e-05
Ａ8 =   -1.07906e-06 
Ａ10=    4.66921e-08  
ズームデータ（∞）
ズーム比        6.71719
f1         28.192
f2         -7.33373
f3          10.8192
f4          18.3721
ＷＥ      ＳＴ      ＴＥ          
ｆ（mm）        6.62     17.25     44.45   
ＦNO             3.28      4.78      4.97   
２ω（°）     67.52     25.33      9.77  
Ｉm              3.84      3.84      3.84
レンズ全長          39.985    48.043    48.720
BF               6.722     5.258     4.636
ｄ3              0.68      6.65     13.53   
ｄ9             13.90      8.45      1.67   
ｄ15             2.86     11.85     13.06  
ｄ17             5.30      3.78      3.23  
【０１５１】
実施例８
ｒ1 =   24.020            ｄ1 =  0.80     ｎd1 =  1.92286     νd1 =  18.90
ｒ2 =   16.572            ｄ2 =  3.08     ｎd2 =  1.69350     νd2 =  53.21
ｒ3 =  -68.334（非球面）  ｄ3 =（可変） 
ｒ4 =  -21.830（非球面）  ｄ4 =  0.90     ｎd3 =  1.83481     νd3 =  42.71
ｒ5 =    8.126（非球面）  ｄ5 =  1.00
ｒ6 =   12.507            ｄ6 =  2.01     ｎd4 =  1.92286     νd4 =  18.90
ｒ7 = -160.265            ｄ7 =  0.44
ｒ8 =  -27.890            ｄ8 =  0.65     ｎd5 =  1.88300     νd5 =  40.76
ｒ9 =   21.047            ｄ9 =（可変） 
ｒ10=     ∞（絞り）      ｄ10=  0.14
ｒ11=    5.061（非球面）  ｄ11=  2.20     ｎd6 =  1.49700     νd6 =  81.54
ｒ12=  -13.544（非球面）  ｄ12=（可変） 
ｒ13=    7.030            ｄ13=  1.95     ｎd7 =  1.51633     νd7 =  64.14
ｒ14=   49.126            ｄ14=  0.69     ｎd8 =  1.66680     νd8 =  33.05
ｒ15=    3.499            ｄ15=（可変）
ｒ16=   23.559（非球面）  ｄ16=  2.01     ｎd9 =  1.69350     νd9 =  53.21
ｒ17=  -26.698（非球面）  ｄ17=（可変） 
ｒ18=     ∞              ｄ18=  0.40     ｎd10=  1.54771     νd10=  62.84
ｒ19=     ∞              ｄ19=  0.50
ｒ20=     ∞              ｄ20=  0.50     ｎd11=  1.51633     νd11=  64.14
ｒ21=     ∞              ｄ21=  0.37
ｒ22=     ∞（電子撮像素子の受光面、像面） 
非球面係数
第3面
Ｋ =    0.000
Ａ4 =    1.17380e-05
Ａ6 =   -2.24608e-08 
Ａ8 =    2.75549e-10 
Ａ10=   -2.05321e-12  
第4面
Ｋ =    0.000
Ａ4 =   -9.11156e-05 
Ａ6 =    8.78426e-06
Ａ8 =   -1.22764e-07 
Ａ10=    5.28096e-10  
第5面
Ｋ =    0.000
Ａ4 =   -3.85803e-04 
Ａ6 =    4.49285e-06 
Ａ8 =    2.22686e-07
Ａ10=   -3.14604e-09  
第11面
Ｋ =    0.000
Ａ4 =   -7.80650e-04
Ａ6 =   -1.15675e-05
Ａ8 =   -4.74312e-07 
Ａ10=    2.42119e-07  
第12面
Ｋ =    0.000
Ａ4 =    6.50113e-04 
Ａ6 =    9.15799e-07 
Ａ8 =    7.50956e-08 
Ａ10=    3.30091e-07  
第16面
Ｋ =    0.000
Ａ4 =    2.91274e-04
Ａ6 =   -5.95470e-06
Ａ8 =   -2.42391e-06 
Ａ10=    8.28202e-08  
第17面
Ｋ =    0.000
Ａ4 =    2.44954e-04
Ａ6 =   -2.01991e-05
Ａ8 =   -1.81550e-06 
Ａ10=    6.89403e-08  
ズームデータ（∞）
ズーム比      6.73995
f1       29.1282
f2        -6.99367
f3         7.71607
f4        -11.0709
f5         18.3461
ＷＥ      ＳＴ      ＴＥ          
ｆ（mm）        6.61     17.26     44.55  
ＦNO             3.26      4.84      5.14  
２ω（°）     66.87     25.18      9.74  
Ｉm              3.84      3.84      3.84
レンズ全長          39.613    47.505    49.236
BF               6.808     4.964     4.637
ｄ3              0.70      6.81     13.68  
ｄ9             13.25      7.94      1.68  
ｄ12             0.10      0.49      0.96  
ｄ15             2.89     11.43     12.41  
ｄ17             5.43      3.50      3.22  
【０１５２】
以上の実施例１〜８の無限遠物点合焦時の収差図をそれぞれ図９〜図１６に示す。これらの収差図において、（ａ）は広角端、（ｂ）はズーミングの途中の中間状態、（ｃ）は望遠端における球面収差、非点収差、歪曲収差、倍率色収差を示す。各図中、“ＦＩＹ”は最大像高を示す。“ω”は半画角を示す。
【０１５３】
次に、各実施例における条件式（１）〜（２２）の値を掲げる。
実施例1    実施例2    実施例3    実施例4  
(1)ｆ2/ｆt                  -0.174     -0.173     -0.170     -0.170   
(2)ｆ2n2/ｆt                -0.312     -0.290     -0.301     -0.304 
(3)ＳＦ2n2                  -0.148     -0.241     -0.277     -0.282    
(A)Σd2G/ｆt                 0.109      0.110      0.109      0.109    
(B)ＳＦ2n1                   0.254      0.211      0.250      0.272    
(C)ＳＦ2p                   -0.699     -0.402     -0.534     -0.565    
(4)（β2T×βRW）/（β2W×βRT）  
1.803      1.859      1.936      1.959  
(5)ｎd2n1                    1.83481    1.83481    1.83481    1.83481  
(6)νd2n1                   42.71      42.71      42.71      42.71  
(7)ｎd2n2                    1.8830     1.8830     1.8830     1.8830   
(8)νd2n2                   40.76      40.76      40.76      40.76  
(9)ｎd2p                     1.94595    1.92286    1.92286    1.92286  
(10)νd2p                   17.98      18.90      18.90      18.90     
(11)ａｓｐ2n1f/ｆw           0.03316    0.03054    0.02513    0.02362   
(12)（ａｓｐ2n1f＋｜ａｓｐ2n1r|）/ｆw
0.03405    0.03648    0.03557    0.03578     
(13)ｄ1np/ｄ1                0.023      0.025      0.025      0.024    
(14)ｎd1p                    1.6935     1.6935     1.6935     1.6935  
(15)νd1p                   53.21      53.21      53.21      53.21  
(16)ｎd1n                    2.0017     1.92286    1.92286    1.92286  
(17)νd1n                   20.64      18.90      18.90      18.90     
(18)ｆ1/ｆt                  0.645      0.638      0.630      0.630       
(19)ｆ3/ｆt                  0.240      0.244      0.245      0.245    
(20)ｆ4/ｆt                  0.431      0.432      0.425      0.425     
(21)ｆt/ｆw                  6.713      6.710      6.718      6.718     
(22)Ｉm/ｆw                  0.582      0.580      0.580      0.580      
（条件式の値）
実施例5    実施例6    実施例7    実施例8  
(1)ｆ2/ｆt                  -0.170     -0.155     -0.165     -0.157 
(2)ｆ2n2/ｆt                -0.309     -0.309     -0.357     -0.303 
(3)ＳＦ2n2                  -0.268     -0.030     -0.169      0.140 
(A)Σｄ2G/ｆt                0.110      0.126      0.110      0.112 
(B)ＳＦ2n1                   0.278      0.483      0.354      0.457 
(C)ＳＦ2p                   -0.567     -1.390     -0.962     -0.855 
(4)（β2T×βRW）/（β2W×βRT）  
2.092      1.878      2.062      1.626 
(5)ｎd2n1                    1.83481    1.83481    1.83481    1.83481
(6)νd2n1                   42.71      42.71      42.71      42.71
(7)ｎd2n2                    1.8830     1.8830     1.8830     1.8830 
(8)νd2n2                   40.76      40.76      40.76      40.76
(9)ｎd2p                     1.92286    1.92286    1.92286    1.92286
(10)νd2p                   18.90      18.90      18.90      18.90 
(11)ａｓｐ2n1f/ｆw           0.02396    0.01490    0.02439    0.01204 
(12)（ａｓｐ2n1f＋｜ａｓｐ2n1r|）/ｆw
0.03513    0.02669    0.03325    0.02699 
(13)ｄ1np/ｄ1               0.024      0.000      0.000      0.000 
(14)ｎd1p                   1.6935     1.6935     1.6935     1.6935
(15)νd1p                  53.21      53.21      53.21      53.21
(16)ｎd1n                   1.92286    1.92286    1.92286    1.92286
(17)νd1n                  18.90      18.90      18.90      18.90 
(18)ｆ1/ｆt                 0.625      0.617      0.634      0.654 
(19)ｆ3/ｆt                 0.249      0.233      0.243      0.173 
(20)ｆ4/ｆt                 0.422      0.417      0.413      -
(21)ｆt/ｆw                 6.712      6.718      6.717      6.740 
(22)Ｉm/ｆw                 0.580      0.579      0.580      0.581 
【０１５４】
（歪曲収差の補正）
ところで、本発明のズームレンズを用いたときに、像の歪曲は電気的にデジタル補正する。以下に、像の歪曲をデジタル補正するための基本的概念について説明する。
【０１５５】
例えば、図１７に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１５６】
例えば、図１７において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１５７】
ここで、ｒ'（ω）は次のように表わすことができる。
ｒ'（ω）＝α・ｆ・ｔａｎω    （０≦α≦１）
ただし、
ωは被写体半画角、ｆは結像光学系（本発明では、ズームレンズ）の焦点距離である。
【０１５８】
ここで、前記半径Ｒの円上（像高）に対応する理想像高をＹとすると、
α＝Ｒ／Ｙ＝Ｒ／（ｆ・ｔａｎω）
となる。
【０１５９】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１６０】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１６１】
つまり、離散的座標点毎に表わされる画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１６２】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１６３】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１６４】
なお、歪曲補正後の画像が短辺方向の両端において光量が極端に不足することのないようにするには、前記半径Ｒが、次の条件式を満足するのがよい。
【０１６５】
０≦Ｒ≦０．６Ｌs 
ただし、Ｌs は有効撮像面の短辺の長さである。
【０１６６】
好ましくは、前記半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、実質画像数の面で若干の不利があるが、広角化しても小型化にするための効果は確保できる。
【０１６７】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１６８】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１６９】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１７０】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１７１】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１７２】
（デジタルカメラ）
図１８〜図２０は、以上のようなズームレンズを撮影光学系１４１に組み込んだ本発明によるデジタルカメラの構成の概念図を示す。図１８はデジタルカメラ１４０の外観を示す前方斜視図、図１９は同後方正面図、図２０はデジタルカメラ１４０の構成を示す模式的な断面図である。ただし、図１８と図２０においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２０の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１７３】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１７４】
このように構成されたデジタルカメラ１４０は、撮影光学系１４１が本発明により、沈胴時に厚みを極めて薄く、高変倍で全変倍域で結像性能を極めて安定的であるあるので、高性能・小型化・広角化が実現できる。
【０１７５】
（内部回路構成）
図２１は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１７６】
図２１に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１７７】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１７８】
操作部１１２は各種の入力ボタンやスイッチを備え、これらの入力ボタンやスイッチを介して外部（カメラ使用者）から入力されるイベント情報を制御部に通知する回路である。
【０１７９】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１８０】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１８１】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１８２】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１８３】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１８４】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１８５】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【産業上の利用可能性】
【０１８６】
以上のように、本発明は、カメラの薄型化を行い易いように配慮された、７倍程度の高変倍比を持つズームレンズに有用である。
【図面の簡単な説明】
【０１８７】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】実施例１の無限遠物点合焦時の収差図である。
【図１０】実施例２の無限遠物点合焦時の収差図である。
【図１１】実施例３の無限遠物点合焦時の収差図である。
【図１２】実施例４の無限遠物点合焦時の収差図である。
【図１３】実施例５の無限遠物点合焦時の収差図である。
【図１４】実施例６の無限遠物点合焦時の収差図である。
【図１５】実施例７の無限遠物点合焦時の収差図である。
【図１６】実施例８の無限遠物点合焦時の収差図である。
【図１７】歪曲収差の補正を説明する図である。
【図１８】本発明によるズームレンズを組み込んだデジタルカメラの外観を示す前方斜視図である。
【図１９】上記デジタルカメラの後方斜視図である。
【図２０】上記デジタルカメラの断面図である。
【図２１】デジタルカメラの主要部の内部回路の構成ブロック図である。
【図２２】非球面偏倚量を説明する図である。
【０１８８】
Ｇ１…第１レンズ群
Ｇ２…第２レンズ群
Ｇ３…第３レンズ群
Ｇ４…第４レンズ群
Ｇ５…第５レンズ群
Ｓ…開口絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2008225328.tif 000003
【図２】
2008225328.tif 000004
【図３】
2008225328.tif 000005
【図４】
2008225328.tif 000006
【図５】
2008225328.tif 000007
【図６】
2008225328.tif 000008
【図７】
2008225328.tif 000009
【図８】
2008225328.tif 000010
【図９】
2008225328.tif 000011
【図１０】
2008225328.tif 000012
【図１１】
2008225328.tif 000013
【図１２】
2008225328.tif 000014
【図１３】
2008225328.tif 000015
【図１４】
2008225328.tif 000016
【図１５】
2008225328.tif 000017
【図１６】
2008225328.tif 000018
【図１７】
2008225328.tif 000019
【図１８】
2008225328.tif 000020
【図１９】
2008225328.tif 000021
【図２０】
2008225328.tif 000022
【図２１】
2008225328.tif 000023
【図２２】
2008225328.tif 000024